(57)【要約】【課題】安定した書込み動作を保証しながら、黒輝度の上昇を抑え、かつ、書込み期間を短縮したプラズマディスプレイパネルの駆動方法を提供することを目的とする。【解決手段】１フィールド期間は、初期化期間、書込み期間および維持期間を有する複数のサブフィールドから構成され、サブフィールドのそれぞれの初期化期間には、全セル初期化動作または選択初期化動作を行わせ、選択初期化動作を行うサブフィールドの書込み放電を発生させるための時間を、その直前のサブフィールドの維持期間の輝度重みが小さいときは長く、その直前のサブフィールドの維持期間の輝度重みが大きいときは短く設定する。【選択図】図６
2005321499.tif 000002
【特許請求の範囲】
【請求項１】
走査電極および維持電極とデータ電極との交差部に放電セルを形成してなるプラズマディスプレイパネルの駆動方法であって、
１フィールド期間は、前記放電セルに初期化放電を発生させる初期化期間、前記放電セルに書込み放電を発生させる書込み期間および前記放電セルに所定の輝度重みで発光させるための維持放電を発生させる維持期間を有する複数のサブフィールドから構成され、
前記複数のサブフィールドの初期化期間には、画像表示を行うすべての放電セルに対して初期化放電を発生させる全セル初期化動作を行わせるか、または直前のサブフィールドにおいて維持放電を発生した放電セルに対して選択的に初期化放電を発生させる選択初期化動作を行わせ、
前記選択初期化動作を行うサブフィールドの書込み放電を発生させるための時間を、その直前のサブフィールドの維持期間の輝度重みが小さいときは長く、その直前のサブフィールドの維持期間の輝度重みが大きいときは短く設定することを特徴とするプラズマディスプレイパネルの駆動方法。
【請求項２】
１フィールドを構成する先頭のサブフィールドは、維持期間の輝度重みが最も小さいサブフィールドであり、つづくサブフィールドは、それぞれの維持期間の輝度重みが直前のサブフィールドの輝度重みより大きいかまたは等しいサブフィールドであることを特徴とする請求項１に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表示に関係しない発光を極力減らして黒輝度の上昇を抑え、コントラスト比を向上した新規な駆動方法が特許文献１に開示されている。
【０００４】
以下にサブフィールド法について簡単に説明する。各サブフィールドはそれぞれ初期化期間、書込み期間および維持期間を有する。また、初期化期間は、画像表示を行うすべての放電セルに対して初期化放電を行わせる全セル初期化動作、または直前のサブフィールドにおいて維持放電を行った放電セルに対して選択的に初期化放電を行わせる選択初期化動作のいずれかの動作を行う。
【０００５】
まず、全セル初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。つづく書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【特許文献１】特開２０００−２４２２２４号公報
【発明の開示】
【発明が解決しようとする課題】
【０００７】
近年、消費電力削減や輝度向上の要求にこたえるために、パネルの構造やパネル材料等に対する検討が活発になされている。たとえば、パネルに封入されている放電ガスのキセノン分圧を増加させることによりパネルの発光効率が向上することが一般に知られている。しかしながら上述のパネルおよびその駆動方法においては、キセノン分圧を増加させると書込み放電が不安定になり、書込み期間に書込み不良を生じるおそれがある等、書込み動作の駆動電圧マージンが狭くなるという課題があった。
【０００８】
本発明は、これらの課題に鑑みなされたものであり、書込み放電を安定化させることによって、良好な品質で画像表示させることができるパネルの駆動方法を提供することを目的とする。
【課題を解決するための手段】
【０００９】
本発明のパネルの駆動方法は、走査電極および維持電極とデータ電極との交差部に放電セルを形成してなるプラズマディスプレイパネルの駆動方法であって、１フィールド期間は、放電セルに初期化放電を発生させる初期化期間、放電セルに書込み放電を発生させる書込み期間および放電セルに所定の輝度重みで発光させるための維持放電を発生させる維持期間を有する複数のサブフィールドから構成され、複数のサブフィールドの初期化期間には画像表示を行うすべての放電セルに対して初期化放電を発生させる全セル初期化動作を行わせるか、または直前のサブフィールドにおいて維持放電を発生した放電セルに対して選択的に初期化放電を発生させる選択初期化動作を行わせ、選択初期化動作を行うサブフィールドの書込み放電を発生させるための時間を、その直前のサブフィールドの維持期間の輝度重みが小さいときは長く、その直前のサブフィールドの維持期間の輝度重みが大きいときは短く設定することを特徴とする。
【００１０】
この方法により、書込み放電を安定化させることによって、良好な品質で画像表示させることができるプラズマディスプレイパネルの駆動方法を提供することが可能となる。
【００１１】
また、本発明のパネルの駆動方法は、１フィールドを構成する先頭のサブフィールドは維持期間の輝度重みが最も小さいサブフィールドであり、つづくサブフィールドは、それぞれの維持期間の輝度重みが直前のサブフィールドの輝度重みより大きいかまたは等しいサブフィールドであることが望ましい。この駆動方法により、暗い画面で維持放電を行うサブフィールド、すなわち維持期間の輝度重みの小さいサブフィールドと全セル初期化期間との時間間隔が短くなり、暗い画面を表示する場合であってもプライミング不足による書込み不良を防ぐことができる。
【発明の効果】
【００１２】
本発明によれば、書込み放電を安定化させることによって、良好な品質で画像表示させることができるプラズマディスプレイパネルの駆動方法を提供することが可能となる。
【発明を実施するための最良の形態】
【００１３】
以下、本発明の一実施の形態におけるパネルの駆動方法について、図面を用いて説明する。
【００１４】
（実施の形態１）
図１は本発明の実施の形態１に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００１５】
図２は本発明の実施の形態１に用いるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１６】
図３は本発明の実施の形態１におけるパネルの駆動方法を使用するプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００１７】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９に出力する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極Ｄ１〜Ｄｍを駆動する。
【００１８】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。
【００１９】
つぎに、パネルの駆動方法について説明する。実施の形態１においては、１フィールドを１０のサブフィールド（ＳＦ１、ＳＦ２、・・・、ＳＦ１０）に分割し、各サブフィールドはそれぞれ（１、２、３、６、１１、１８、３０、４４、６０、８０）の輝度重みをもつものとする。このように、後ろのサブフィールドほど輝度重みが大きくなるように構成している。すなわち、１フィールドを構成する先頭のサブフィールドは、維持期間の輝度重みが最も小さいサブフィールドであり、つづくサブフィールドは、それぞれの維持期間の輝度重みが直前のサブフィールドの輝度重みより大きいサブフィールドである。このとき、直前のサブフィールドの輝度重みと等しく設定してもよい。
【００２０】
図４は表示階調と、その階調を表示するために発光させるサブフィールドの組み合わせを示した図である。ここで「１」で示したサブフィールドは発光させるサブフィールド、「０」で示したサブフィールドは発光させないサブフィールドである。図４（ａ）は階調値が「０」〜「５０」まで、図４（ｂ）は階調値が「５１」〜「１０１」まで、図４（ｃ）は階調値が「１０２」〜「１５２」まで、図４（ｄ）は階調値が「１５３」〜「２０３」まで、図４（ｅ）は階調値が「２０４」〜「２５５」の範囲を示す。
【００２１】
図４において特徴的な点は、発光サブフィールドの前にある非発光サブフィールド（以下、「中間非発光サブフィールド」と略記する）が３つ以上連続しないようにして階調表示を行っている点である。特に輝度重みの大きい第８ＳＦ〜第１０ＳＦに対しては中間非発光サブフィールドが２つ以上連続しないようにして階調表示を行っている。これは、プライミングが不足し書込み放電が不安定となるのを防ぐためである。
【００２２】
つぎに、パネルを駆動するための駆動波形とその動作について説明する。図５は本発明の実施の形態１におけるパネルの各電極に印加する駆動波形図であり、図６はサブフィールドの構成図である。ここで、第１ＳＦの初期化動作は全セル初期化動作であり、第２ＳＦ以降の初期化動作は選択初期化動作である。
【００２３】
第１ＳＦの初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加する。すると、すべての放電セルにおいて１回目の微弱な初期化放電を起こし、走査電極ＳＣＮ１〜ＳＣＮｎ上に負の壁電圧が蓄えられるとともに、維持電極ＳＵＳ１〜ＳＵＳｎ上およびデータ電極Ｄ１〜Ｄｍ上に正の壁電圧が蓄えられる。ここで、電極上の壁電圧とは、電極を覆う誘電体層あるいは蛍光体層上に蓄積した壁電荷により生じる電圧をあらわす。
【００２４】
その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、すべての放電セルにおいて２回目の微弱な初期化放電を起こし、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。
【００２５】
このように、第１ＳＦの初期化期間では、すべての放電セルにおいて初期化放電させる全セル初期化動作が行われる。
【００２６】
つづく書込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に負の走査パルス電圧Ｖｂ（Ｖ）を印加する。すると走査電極ＳＣＮ１とデータ電極Ｄｋとの間には書込みパルス電圧と走査パルス電圧とが加算された電圧Ｖｗ＋Ｖｂ（Ｖ）が印加され放電開始電圧を超えるので、走査電極ＳＣＮ１とデータ電極Ｄｋとの交差部で放電が発生し、対応する放電セルの走査電極ＳＣＮ１と維持電極ＳＵＳ１との間の放電に進展する。そしてつづく維持放電に必要な壁電荷が蓄積される。こうして１行目の書込みパルス電圧Ｖｗ（Ｖ）を印加した放電セルの書込み放電が終了する。一方、書込みパルス電圧Ｖｗ（Ｖ）を印加しなかった放電セルには書込み放電は発生せず壁電荷が蓄積されない。このとき、２行目以降の放電セルのデータ電極Ｄｋにも正の書込みパルス電圧Ｖｗ（Ｖ）が印加されるが、対応する２行目以降の走査電極には負の走査パルス電圧Ｖｂ（Ｖ）が印加されないので、２行目以降の走査電極とデータ電極Ｄｋとの間に印加される電圧は書込みパルス電圧Ｖｗ（Ｖ）のみであり放電開始電圧を超えないので書込み放電が発生することはない。
【００２７】
つづいて、２行目に表示すべき放電セルのデータ電極Ｄｋに正の書込みパルス電圧Ｖｗ（Ｖ）を印加するとともに、２行目の走査電極ＳＣＮ２に負の走査パルス電圧Ｖｂ（Ｖ）を印加する。すると走査電極ＳＣＮ２とデータ電極Ｄｋとの間には書込みパルス電圧と走査パルス電圧とが加算された電圧Ｖｗ＋Ｖｂ（Ｖ）が印加され放電開始電圧を超え、２行目の書込みパルス電圧Ｖｗ（Ｖ）を印加した放電セルの書込み放電が発生する。一方、書込みパルス電圧Ｖｗ（Ｖ）を印加しなかった放電セルには書込み放電は発生せず壁電荷が蓄積されない。この場合にも、３行目以降の放電セルの走査電極とデータ電極Ｄｋとの間に印加される電圧は書込みパルス電圧Ｖｗ（Ｖ）のみであり放電開始電圧を超えないので書込み放電が発生することはない。
【００２８】
以上の書込み動作をｎ行目の放電セルに至るまで順次行い、書込み期間が終了する。
【００２９】
つづく維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セル内では、維持パルス電圧Ｖｍ（Ｖ）に壁電荷による電圧が加算され放電開始電圧を超え維持放電が発生する。そして極性の反転した壁電荷が放電セル内に蓄積する。つづいて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加すると、放電セル内で維持放電が起こり、壁電荷の極性が反転する。以降同様に、走査電極ＳＣＮ１〜ＳＣＮｎと維持電極ＳＵＳ１〜ＳＵＳｎとに交互に維持パルスを印加することにより、書込み期間において書込み放電を起こした放電セルでは維持放電が継続して行われる。
【００３０】
第２ＳＦの初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎに電圧Ｖａ（Ｖ）に向かって下降するランプ電圧を印加する。すると前のサブフィールドの維持期間で維持放電を行った放電セルでは、微弱な初期化放電が発生し、つづく書込み動作に必要な壁電荷が形成される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００３１】
第２ＳＦの書込み期間の動作は第１ＳＦの書込み期間の動作と同様である。また、第２ＳＦの維持期間の輝度重みは第１ＳＦとは異なるものの、それ以外は第１ＳＦの書込み期間の動作と同様である。第３ＳＦ以降の動作についても維持期間の輝度重みは異なるものの、それ以外は第２ＳＦの動作と同様であるため説明を省略する。
【００３２】
以上の動作の書込み期間において、後で書込む放電セルは先に書込む放電セルに比べて書込み難くなる、あるいは書込みが不安定になる傾向がある。そしてこの傾向は、パネルに封入される放電ガスのキセノン分圧を増加させることにより顕著になることが明らかとなった。またこの傾向は直前のサブフィールドの維持期間の輝度重みが大きいほど大きくなることも明らかとなった。後で書込む放電セルの書込み放電が不安定になる原因については明らかではないが、以下のように考えることができる。
【００３３】
書込み期間において確実な書込み制御を行うためには、走査電極ＳＣＮｉとデータ電極Ｄｋとの間に、書込みパルス電圧Ｖｗまたは走査パルス電圧Ｖｂの一方を印加しただけでは書込み放電は発生せず、書込みパルス電圧Ｖｗと走査パルス電圧Ｖｂとの両方を印加して初めて書込み放電を発生させる必要がある。ここで、第１ＳＦの初期化期間においてデータ電極Ｄ１〜Ｄｍ上に書込み動作に適した壁電圧Ｖｗａｌｌが蓄積されている。したがって、書込みパルス電圧Ｖｗまたは走査パルス電圧Ｖｂの一方だけでは書込み放電が発生しないように、書込みパルス電圧Ｖｗと壁電圧Ｖｗａｌｌとの和は放電開始電圧より低く、また、走査パルス電圧Ｖｂと壁電圧Ｖｗａｌｌとの和も放電開始電圧より低く設定されている。そして、書込みパルス電圧Ｖｗと走査パルス電圧Ｖｂとの両方を印加したとき書込み放電を発生させるために、書込みパルス電圧Ｖｗと走査パルス電圧Ｖｂと壁電圧Ｖｗａｌｌとの和が放電開始電圧より高くなるように設定されている。
【００３４】
ここで、データ電極Ｄｋに書込みパルス電圧が印加され、走査電極ＳＣＮｉには走査電圧が印加されていない放電セルについて考えると、走査電極ＳＣＮｉとデータ電極Ｄｋとの間には書込みパルス電圧Ｖｗと壁電圧Ｖｗａｌｌとの和の電圧が印加されている。書込みパルス電圧Ｖｗと壁電圧Ｖｗａｌｌとの和は放電開始電圧より低くされているものの、放電開始電圧に近い場合にはわずかな暗電流が流れることにより壁電圧Ｖｗａｌｌが低下する可能性がある。そして、暗電流の流れる時間が長く、壁電圧Ｖｗａｌｌが無視できない程度に低下すると、放電セルの書込み時に、走査電極ＳＣＮｉとデータ電極Ｄｋとの間に印加される電圧、Ｖｗ＋Ｖｂ＋Ｖｗａｌｌが低下するため、書込み放電が発生し難くなる、あるいは書込み放電が不安定になると考えることができる。
【００３５】
ｎ行目の放電セル等、書込み期間の後半に書込み動作を行う放電セルでは、書込み動作以前にデータ電極Ｄｋに書込みパルス電圧を印加する時間が長く、多くの暗電流が流れる可能性が高い。特に、輝度の高い画像表示時には暗電流の流れる時間が長くなり、壁電圧Ｖｗａｌｌが無視できない程度に低下し、書込み放電が不安定になる可能性が高い。
【００３６】
暗電流と放電ガスのキセノン分圧との関係、あるいは暗電流と直前のサブフィールドの維持期間の輝度重みとの関係は明らかになったわけではないが、維持期間の輝度重みとの関係については、たとえば維持放電により荷電粒子が多数発生しそれら荷電粒子が暗電流を増加させている可能性も考えられる。
【００３７】
上述した壁電圧Ｖｗａｌｌの低下を防ぐためには、暗電流の流れる時間を短くすることが有効である。そのためには書込み放電を発生させるための時間（以下、「書込み時間」と略記する）を短くする、特に直前のサブフィールドの維持期間の輝度重みが大きいほど書込み放電時間を短くすることが有効である。直前のサブフィールドの維持期間の輝度重みが大きい場合には維持放電によるプライミングを期待することができるので、書込み時間を短くしても安定した書込み放電となり、しかも書込み時間を短くすることにより壁電圧Ｖｗａｌｌ不足による不安定な書込み放電も防ぐことができる。
【００３８】
実施の形態１においては、１フィールドを１０のサブフィールド（ＳＦ１、ＳＦ２、・・・、ＳＦ１０）に分割し、各サブフィールドの輝度重みはそれぞれ（１、２、３、６、１１、１８、３０、４４、６０、８０）であり、後ろのサブフィールドほど輝度重みが大きくなるように構成している。そして、各サブフィールドの１セルあたりの書込み時間を、それぞれ（２．４μｓ、２．４μｓ、２．１μｓ、２．１μｓ、２．１μｓ、１．８μｓ、１．８μｓ、１．８μｓ、１．７μｓ、１．７μｓ）と設定した。このように、１セルあたりの書込み時間を、その直前のサブフィールドの維持期間の輝度重みが小さいときは長く、その直前のサブフィールドの維持期間の輝度重みが大きいときは短く設定することにより、書込み放電を安定化させることができ、良好な品質で画像表示させることができる。
【００３９】
さらに、後ろのサブフィールドほど輝度重みが大きくなるように構成することにより、暗い画面で維持放電を行うサブフィールド、すなわち維持期間の輝度重みの小さいサブフィールドと全セル初期化期間との時間間隔が短くなり、暗い画面を表示する場合であってもプライミング不足による書込み不良を防ぐことができる。
【００４０】
（実施の形態２）
図７は本発明の実施の形態２におけるパネルの駆動方法を使用するプラズマディスプレイ装置の構成図である。
【００４１】
実施の形態２におけるプラズマディスプレイ装置は、実施の形態１と同様、パネル１、データ電極駆動回路１２、走査電極駆動回路１３、維持電極駆動回路１４、タイミング発生回路１５、ＡＤ変換器１８、走査数変換部１９、サブフィールド変換部２０を備えている。実施の形態１と大きく異なるところは、ＡＰＬ（アベレージ・ピクチャ・レベル）検出部３０を備えている点である。
【００４２】
図７において、画像信号ｓｉｇはＡＤ変換器１８に入力され、ＡＰＬ検出部３０は画像データの平均輝度レベルを検出する。タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５はＡＰＬ検出部３０から出力されるＡＰＬに基づいて１フィールドを構成する各々のサブフィールドの初期化動作を全セル初期化か選択初期化のいずれかに決定して、１フィールド内の全セル初期化動作の回数を制御する。
【００４３】
つぎに、実施の形態２の駆動方法のサブフィールド構成について説明する。本実施の形態においても、１フィールドが１０のサブフィールドで構成されているものとして説明するが、サブフィールド数や各サブフィールドの輝度重みが限定されるものではない。
【００４４】
図８は、本発明の実施の形態２におけるパネルの駆動方法のサブフィールドの構成図であり、表示すべき画像信号のＡＰＬに基づいてサブフィールド構成を切替えている。図８（ａ）は、ＡＰＬが０〜１．５％の画像信号時に使用する構成であり、第１ＳＦの初期化期間のみ全セル初期化動作を行い、第２ＳＦ〜第１０ＳＦの初期化期間は選択初期化動作を行うサブフィールド構成である。図８（ｂ）は、ＡＰＬが１．５〜５％の画像信号時に使用する構成であり、第１ＳＦおよび第４ＳＦの初期化期間が全セル初期化期間、第２ＳＦ、第３ＳＦと第５ＳＦ〜第１０ＳＦの初期化期間は選択初期化期間であるサブフィールド構成となっている。図８（ｃ）は、ＡＰＬが５〜１００％の画像信号時に使用する構成であり、第１ＳＦ、第４ＳＦ、第６ＳＦの初期化期間は全セル初期化期間、第２ＳＦ、第３ＳＦ、第５ＳＦ、第７ＳＦ〜第１０ＳＦの初期化期間は選択初期化期間であるサブフィールド構成となっている。表１に上述のサブフィールド構成とＡＰＬとの関係を示した。表１には同時に１セルあたりの書込み時間も示した。
【００４５】
【表１】
2005321499.tif 000003
【００４６】
このように、本発明の実施の形態２においては、ＡＰＬの高い画像表示時においては黒表示領域が無いかわずかの面積であると考えられるので、全セル初期化回数を増やしプライミングを増やすことによって放電の安定化を図っている。逆に、ＡＰＬの低い画像表示時においては黒の画像表示領域が広いと考えられるため全セル初期化回数を減らし、黒表示品質を向上している。したがって、輝度の高い領域があってもＡＰＬが低ければ黒表示領域の輝度が低くコントラストの高い画像表示が可能となる。
【００４７】
そして、第１ＳＦの初期化期間のみ全セル初期化動作を行う場合には、実施の形態１と同様に、第１ＳＦから第１０ＳＦまでの１セルあたりの書込み時間をそれぞれ（２．４μｓ、２．４μｓ、２．１μｓ、２．１μｓ、２．１μｓ、１．８μｓ、１．８μｓ、１．８μｓ、１．７μｓ、１．７μｓ）と設定した。また、第１ＳＦおよび第４ＳＦの初期化期間で全セル初期化動作を行う場合、あるいは第１ＳＦ、第４ＳＦおよび第６ＳＦの初期化期間で全セル初期化動作行う場合には、第１ＳＦから第１０ＳＦまでの１セルあたりの書込み時間をそれぞれ（１．８μｓ、１．８μｓ、１．８μｓ、１．８μｓ、１．８μｓ、１．８μｓ、１．８μｓ、１．８μｓ、１．７μｓ、１．７μｓ）と設定した。
【００４８】
このように実施の形態２においても直前のサブフィールドの維持期間の輝度重みが大きいほど書込み放電時間を短くすることによって、壁電圧Ｖｗａｌｌ不足による不安定な書込み放電を防ぐことができる。
【００４９】
そして、全セル初期化動作の回数が少なくプライミングが不足する場合には第１ＳＦの書込み時間を比較的長めに設定しておき、後ろのサブフィールドの書込み時間を短く設定する。また、全セル初期化動作を行うサブフィールドが２つ以上存在しプライミングがある程度供給されている場合には第１ＳＦの書込み時間を比較的短めに設定しておき、後ろのサブフィールドの書込み時間をさらに短く設定するとよい。
【００５０】
なお、本実施の形態においては、１フィールドを１０ＳＦで構成し、全セル初期化回数を１〜３回の範囲で制御し、先頭に近いサブフィールドの初期化を優先する例を示したが、本発明はこれに限定されるものではない。
【産業上の利用可能性】
【００５１】
本発明のパネルの駆動方法によれば、安定した書込み動作を保証しながら、黒輝度の上昇を抑え、かつ、書込み期間を短縮することが可能となり、プラズマディスプレイパネルを用いた画像表示装置等として有用である。
【図面の簡単な説明】
【００５２】
【図１】本発明の実施の形態１に用いるパネルの要部を示す斜視図
【図２】同パネルの電極配列図
【図３】本発明の実施の形態１におけるパネルの駆動方法を使用するプラズマディスプレイ装置の構成図
【図４（ａ）】表示階調とその階調を表示するために発光させるサブフィールドの組み合わせを示す図
【図４（ｂ）】表示階調とその階調を表示するために発光させるサブフィールドの組み合わせを示す図
【図４（ｃ）】表示階調とその階調を表示するために発光させるサブフィールドの組み合わせを示す図
【図４（ｄ）】表示階調とその階調を表示するために発光させるサブフィールドの組み合わせを示す図
【図４（ｅ）】表示階調とその階調を表示するために発光させるサブフィールドの組み合わせを示す図
【図５】本発明の実施の形態１におけるパネルの各電極に印加する駆動波形図
【図６】本発明の実施の形態１におけるパネルの駆動方法のサブフィールドの構成図
【図７】本発明の実施の形態２におけるパネルの駆動方法を使用するプラズマディスプレイ装置の構成図
【図８】本発明の実施の形態２におけるパネルの駆動方法のサブフィールドの構成図
【符号の説明】
【００５３】
１    パネル
２    前面基板
３    背面基板
４    走査電極
５    維持電極
９    データ電極
【図１】
2005321499.tif 000004
【図２】
2005321499.tif 000005
【図３】
2005321499.tif 000006
【図４（ａ）】
2005321499.tif 000007
【図４（ｂ）】
2005321499.tif 000008
【図４（ｃ）】
2005321499.tif 000009
【図４（ｄ）】
2005321499.tif 000010
【図４（ｅ）】
2005321499.tif 000011
【図５】
2005321499.tif 000012
【図６】
2005321499.tif 000013
【図７】
2005321499.tif 000014
【図８】
2005321499.tif 000015